(57)【要約】【課題】風雨や摩耗によって所定の色彩が退色・剥離することがなく、長い寿命を保持することができ、簡単に色彩のあるコンクリートブロック片を得、熟練を要せず特殊な設備も要しない景観用装飾コンクリートブロックの製造方法を提案する。【解決手段】白セメントと顔料とを必要な色彩となる割合にして水を加えて混練し、目的とする形態の筒状の型枠に流し込み、型枠より外して所定の厚みに切断して得たコンクリートブロックを一つの構成片１とし、この構成片１を複数又は別の形態のコンクリートブロックを組み合わせて夫々の色彩の持つコンクリートブロックの構成片１，２，３を組み合わせて所定（抽象的・具象的）の形態に並べて固着化するようにした製造方法である。【選択図】図１
2011157690.tif 000002
【特許請求の範囲】
【請求項１】
白セメントと顔料とを必要な色彩となる割合にして水を加えて混練し、目的とする形態の筒状の型枠に流し込み、型枠より外して所定の厚みに切断して得たコンクリートブロックを一つの構成片とし、構成片を複数又は別の形態のコンクリートブロックを組み合わせて夫々の色彩の持つコンクリートブロックの構成片を所定の形態に並べて固着化するようにしたことを特徴とするコンクリートブロックの製造方法。
【請求項２】
抽象的又は具象的な形態を構成する部材を白セメントと顔料とを必要な色彩となる割合にして水を加えて混練し、目的とする形態の筒状の型枠に流し込み、型枠より外して所定の厚みに切断によって製造し、
夫々のコンクリートブロックを一つの構成片とし、構成片を複数又は別の形態のコンクリートブロックと組み合わせて夫々の色彩の持つコンクリートブロック片を抽象的又は具象的な形態に並べて固着化するようにしたことを特徴とするコンクリートブロックの製造方法。
【発明の詳細な説明】
【技術分野】
【０００１】
本発明は、例えば一般家庭の芝生庭にワンポイントとして又は装飾としての花柄模様や昆虫（とんぼ、蜂、蝶）に似せた形態に組み合わせて据え付け得るコンクリートブロックの製造方法に関する。
【背景技術】
【０００２】
一般家庭の庭や公園、築堤等には最近景観を向上させるため、多様な模様や色彩を施す例が多くなっている。その製法は多くの従来例が知られているが、製法が簡単で廉価にかつ比較的未熟練者でも製造可能な製造方法は知られてない。
従来は、例えばコンクリートに天然又は人工の装飾材を埋め込み、装飾材の一部をコンクリートの表面から突出させた装飾材を埋め込んで製造される製造方法が知られている。
しかし、コンクリートブロック表面に顔料を塗布した物に比較して装飾材の色彩が露出するため、退色の虞れはないものの、装飾材を仮固定する素材をコンクリート打設後に取り除く等の手数を要し、工数が多くなってコストが上昇してしまう欠点がある。
【０００３】
【特許文献１】特開平９−２１６２１０
【発明の開示】
【発明が解決しようとする課題】
【０００４】
本発明は、従来の装飾材を用いず、顔料をコンクリート素材に含むものの、退色せずかつ製造が簡素で熟練を要せず多数の形態や色彩を伴って装飾されたコンクリートブロックの製造方法を提案する。
【課題を解決するための手段】
【０００５】
本発明は、第１に、
白セメントと顔料とを必要な色彩となる割合にして水を加えて混練し、目的とする形態の筒状の型枠に流し込み、型枠より外して所定の厚みに切断して得たコンクリートブロックを一つの構成片とし、構成片を複数又は別の形態のコンクリートブロックを組み合わせて夫々の色彩の持つコンクリートブロックの構成片を所定の形態に並べて固着化するようにした製造方法である。
【０００６】
第２に、
抽象的又は具象的な形態を構成する部材を白セメントと顔料とを必要な色彩となる割合にして水を加えて混練し、目的とする形態の筒状の型枠に流し込み、型枠より外して所定の厚みに切断によって製造し、
夫々のコンクリートブロックを一つの構成片とし、構成片を複数又は別の形態のコンクリートブロックと組み合わせて夫々の色彩の持つコンクリートブロック片を抽象的又は具象的な形態に並べて固着化するようにした製造方法である。
【発明の効果】
【０００７】
本発明は、コンクリートブロックの素材に白セメントと顔料を混練して製造されるため、従来のようにコンクリートブロックの表面に着色したものと異なり、風雨や摩耗によって所定の色彩が退色・剥離することがなく、長い寿命を保持することができる。
また棒状に固まったコンクリート棒を所定の厚みに切断するだけで、簡単に色彩のあるコンクリートブロック片を得ることができるので、製造に熟練を要せず特殊な設備も要しない。
【発明を実施するための最良の形態】
【０００８】
図１はコンクリートブロック片を組み合わせて幾何学・花柄模様や昆虫等の具象形態を模して庭の芝生に埋め込むことにより景観を向上させた一例を示す図である。このコンクリートブロック組み合わせの構成は、円柱状から輪切りした部材１、同心に設置した円環を輪切りした部材２、非対称楕円形を輪切りした数個の部材３とより構成され、夫々に赤・黄・白等のカラフルな色彩が施されている。
【０００９】
これらの各部材１，２，３は断面形態を示しており、コンクリートで形成する場合は、所定の長さの型枠を用いて製造され、コンクリートカッター等で輪切りされることにより実現する。
【００１０】
次に、コンクリートブロックの各構成部材の製法について説明する。まず図２に示すように、図２及び図３に示すように、偏楕円（卵型）の形態にした型枠１０を用意する。型枠１０は金属によるプレス材、鋳鉄製のもの、合成樹脂製のもの等、所定の型を形成可能であれば、その素材は問わない。型枠１０は二つ割り（１０ａ，１０ｂ）、三つ割り等形態の複雑さに応じて分割される構造を取り得る。型枠１０の長さは扱いやすい長さ、例えば１〜２メートル程度のものとすることができる。金属製のものでは長くなると型枠自体が重くなって扱いにくくなるので、５０センチメートル〜１メートル程度が適当である。図２例は花びらを模した形態となるように、内面１１ａ，１１ｂがその形態になるように形成されている。１２は合わせ面を、１３組立用ボルトを示す。そして型枠１０の内面を清掃してボルト１３とナットで組み立てておく。
【００１１】
次に、白セメント、砂と顔料を所定割合に計量、例えば白セメント２５％に対し砂７５％の割合とし、更に白セメントの量の１０％以内に顔料を加えて１〜２分程度空練りをする（重量比）。そして、コンクリートミキサーに洗い砂と顔料入り白セメントを投入して充分に（例えば３〜５分）空練りし、適量の水分を加えて更に３〜５分程度充分に練り混ぜる。
【００１２】
次に、予め縦方向に設置した図２・図３の型枠１０に練り上がったカラーモルタルを、まず半分程度流し込み、１回目のバイブレータによる絞め固めをする。更に半分程度流し込んでから２回目のバイブレータによる絞め固めをする。最後に上端部を金鏝で平坦に仕上げる。
【００１３】
型枠１０に投入したカラーモルタルが充分に固化したら、型枠１０を外すことにより、図３に示すように、カラーモルタメ棒状体１５が現出する。尚、外気温によって養生日数が異なるので適切な固化日数を選ぶ。
【００１４】
型枠１０から外れたカラーモルタル柱状体１５は混入した顔料で全体に染まっている。そこで柱状になったカラーモルタル柱状体１５を横にし、図４に示すように、ダイヤモンドホイル付きカッター２０に設置して所定の厚さに切断する。コンクリートブロック片は土表面に埋め込む場合に土の性質によって厚さを変えることがある。
【００１５】
このようにして輪切り形成されたカラーモルタルによるコンクリートブロック片は全体が顔料によって染められた形態を有する。そして以上の製法により製造されたコンクリートブロック片は数個組み合わせ、又は別の断面形態を有する型枠によって製造されたコンクリートブロック片と共に組み合わされ、図１に示すように、地面に組み込むことができる。
【００１６】
まず、地面の適当箇所にコンクリートブロックの組み込み形態（花柄模様）より少し大きめの穴を掘り、底面に砂を敷き固めて平坦化し、花柄模様になるようにコンクリートブロック片１，２，３を並べ、隙間には砂や土を埋め込んで位置を固定する。必要により、地面と同程度の高さにしても良く、敷石の代わりにするときはコンクリートブロック片全体を２〜３センチメートル程度高く設置しても良い。
【００１７】
地面に敷き込む際、花柄模様にする場合は、図１に示すように、同心円の部材２個と花びら部材数個とで構成されるため、夫々の部材の型枠を必要とする。また必要な色彩にするため対応する顔料を用意し、夫々上記の製法により、コンクリートブロック柱状体を成型して所定厚に切断する。
【００１８】
また昆虫例えばとんぼを模した形態を実現するには、図５に示すように、眼に相当する黒い色彩の小型の丸いコンクリートブロック片３１と、胴に相当する赤い色彩の丸いコンクリートブロック片３２と、尾に相当する２〜３種の赤い色彩の丸いコンクリートブロック片３３と、羽根に相当する白い色彩の偏楕円形のコンクリートブロック片３４とを上記の製法で夫々製造する。そして地面にとんぼの形態となるように敷き詰めて固定化することにより実現する。
【００１９】
以上のコンクリートブロック体は、夫々の部材となるコンクリートブロック片が地面に固着して特定の形態（花柄模様、とんぼ等）になる。
【００２０】
次に製造段階で特定の形態（花柄模様等）にし、地面に埋め込む際にコンクリートブロック片の隙間に砂・土を詰め込む必要がないコンクリートブロックの製法について説明する。
【００２１】
各個別の部材となるコンクリートブロック片は、上記の製法で確保しておき、次に、図６に示すように、外形を覆い得る円形のかつ個別のコンクリートブロックと同等の厚み分を確保した分割構造の円環状の型枠４０を用意し、この型枠４０の内側に、特定の形態（花柄模様等）にコンクリートブロック片を配置する。そして隙間には、別の色彩のモルタルを埋め込んで固着化する。固型化したコンクリートブロック体は全体として大きな円板状になるが、特定の形態・色彩（花柄模様・とんぼ等）が現出されたものとなっている。
【００２２】
このようにして製造された大型の円板状コンクリートブロック体は、土のような地面に埋め込むことができるが、更に新設されたコンクリート又はアスファルト面に対し予め設置してから、コンクリート又はアスファルトで周りを一体に打設することにより、全体の敷地面に対しワンポイントマークのように表すことができる。
【００２３】
次に、夫々の形態（花柄模様等）の個別の部材となるコンクリートブロック片を厚さ１センチメートル程度に輪切りして形成し、建物・道路壁面その他のコンクリート壁面に対しシアノアクリレート系の接着剤にて張り付けて所定の模様等の形態にすることができ、建物・道路の景観の向上に寄与し得る。
【産業上の利用可能性】
【００２４】
本発明方法で製造されたコンクリートブロック体は、土の庭、コンクリート・アスファルト面、建物のエントランス面に埋め込んで使用される。更に建物の外壁・道路壁面にも埋め込み又は張り付けて使用することができる。
【図面の簡単な説明】
【００２５】
【図１】本発明製造方法によって形成されたコンクリートブロック体の例を示す図
【図２】本製造方法に用いる型枠の一例を示す平面図
【図３】本製造方法に用いる型枠の一例を示す斜視図
【図４】切断状況を示す概略図
【図５】本発明製造方法によって形成されたコンクリートブロック片により組み合わせた他の例を示す図
【図６】本発明製造方法によって形成されたコンクリートブロック片を一体に組み込んだ例を示す図
【符号の説明】
【００２６】
１，２，３  各コンクリートブロック構成片
１０  型枠
１１ａ，１１ｂ  内面
１５  カラーモルタル柱状体
３１，３２，３３，３４  各コンクリートブロック構成片
４０  型枠
【図１】
2011157690.tif 000003
【図２】
2011157690.tif 000004
【図３】
2011157690.tif 000005
【図４】
2011157690.tif 000006
【図５】
2011157690.tif 000007
【図６】
2011157690.tif 000008